(57)【要約】【課題】モールド変圧器の樹脂劣化の進行度を精度よく知ることができる樹脂の劣化計測センサおよび劣化計測システムを提供する。【解決手段】本発明の樹脂の劣化の進行度を推定するために質量変化を検出する樹脂の劣化計測センサは、劣化の進行度を検出する樹脂が塗布された少なくとも２つの第１と第２の水晶振動子と、第１と第２の水晶振動子のそれぞれの発振回路と、第１の水晶振動子を覆い、樹脂が樹脂の劣化要因に暴露されることを抑止する第１のカバーと、を備えるようにした。そして、本発明の樹脂の劣化計測システムは、上記の樹脂の劣化計測センサと、センサのそれぞれの発振回路による振動を計数するカウンタと、カウンタの計数値に基づいて、センサに塗布された樹脂の質量減少量に対応する温度補償された周波数変化量を算出する処理装置と、を備え、樹脂の質量減少量から樹脂の寿命予測がおこなわれるようにした。【選択図】  図２
2016205874.tif 000002
【特許請求の範囲】
【請求項１】
樹脂の劣化の進行度を推定するために質量変化を検出する劣化計測センサであって、
劣化の進行度を検出する樹脂が塗布された少なくとも２つの第１と第２の水晶振動子と、
前記第１と第２の水晶振動子のそれぞれの発振回路と、
前記第１の水晶振動子を覆い、前記樹脂が前記樹脂の劣化要因に暴露されることを抑止する第１のカバーと、
を備えることを特徴とする樹脂の劣化計測センサ。
【請求項２】
請求項１に記載の樹脂の劣化計測センサにおいて、
前記第１と第２の水晶振動子に塗布される樹脂は、モールド変圧器の絶縁部材であるエポキシ樹脂を含み、
前記第１のカバーは、前記第１の水晶振動子に塗布された樹脂が酸素に暴露されないように酸素を遮断する
ことを特徴とする樹脂の劣化計測センサ。
【請求項３】
請求項２に記載の樹脂の劣化計測センサにおいて、さらに、
前記樹脂が塗布された第３の水晶振動子と、
前記第３の水晶振動子の発振回路と、
前記第３の水晶振動子を覆うとともに、所定の酸素透過量をもち、前記第３の水晶振動子に塗布された樹脂が暴露される酸素量を制限する第２のカバーと、
を備えることを特徴とする樹脂の劣化計測センサ。
【請求項４】
請求項２に記載の樹脂の劣化計測センサにおいて、
前記第２の水晶振動子を覆うとともに、所定の酸素透過量をもち、前記第２の水晶振動子に塗布された樹脂が暴露される酸素量を制限する第２のカバーと、
を備えることを特徴とする樹脂の劣化計測センサ。
【請求項５】
請求項１〜４のいずれかの１項に記載の樹脂の劣化計測センサは、
モールド変圧器の絶縁部材の外周表面に設置される
ことを特徴とする樹脂の劣化計測センサ。
【請求項６】
請求項１〜４のいずれかの１項に記載の樹脂の劣化計測センサにおいて、
前記樹脂は、エポキシ樹脂と無機化合物である
ことを特徴とする樹脂の劣化計測センサ。
【請求項７】
請求項１〜４のいずれかの１項に記載の樹脂の劣化計測センサにおいて、
前記樹脂は、複合電気絶縁樹脂の母材であって、エポキシ系熱硬化樹脂であり、フィラーとしてシリカ、またはアルミナ等の無機物もしくはゴム等の有機物を含む
ことを特徴とする樹脂の劣化計測センサ。
【請求項８】
劣化の進行度を検出する樹脂が塗布された少なくとも２つの第１と第２の水晶振動子と、
前記第１と第２の水晶振動子のそれぞれの発振回路と、
前記第１の水晶振動子を覆い、前記樹脂が前記樹脂の劣化要因に暴露されることを抑止する第１のカバーと、
前記第１と第２の水晶振動子のそれぞれの発振回路による振動を計数するカウンタと、
前記カウンタの計数値に基づいて、前記第２の水晶振動子に塗布された樹脂の質量減少量に対応する温度補償された周波数変化量を算出する処理装置と、を備え、
前記周波数変化量に対応した樹脂の質量減少量から樹脂の寿命予測がおこなわれる
ことを特徴とする樹脂の劣化計測システム。
【請求項９】
請求項８に記載の樹脂の劣化計測システムにおいて、
前記第１と第２の水晶振動子に塗布される樹脂は、モールド変圧器の絶縁部材であるエポキシ樹脂を含み、
前記第１のカバーは、前記第１の水晶振動子に塗布された樹脂が酸素に暴露されないように酸素を遮断する
ことを特徴とする樹脂の劣化計測システム。
【請求項１０】
請求項９に記載の樹脂の劣化計測システムにおいて、
前記処理装置は、前記周波数変化量に対応した樹脂の質量減少量が所定値以上のときに、モールド変圧器の点検や保守の警告表示をおこなう
ことを特徴とする樹脂の劣化計測システム。
【請求項１１】
請求項９に記載の樹脂の劣化計測システムにおいて、さらに、
前記樹脂が塗布された第３の水晶振動子と、
前記第３の水晶振動子の発振回路と、
前記第３の水晶振動子を覆うとともに、所定の酸素透過量をもち、前記第３の水晶振動子に塗布された樹脂が暴露される酸素量を制限する第２のカバーと、を備え、
前記カウンタは、記第１と第２と第３の水晶振動子のそれぞれの発振回路による振動を計数し、
前記処理装置は、前記カウンタの計数値に基づいて、前記第２と第３の水晶振動子に塗布された樹脂のそれぞれの質量減少量に対応する温度補償された２つの周波数変化量を算出する
ことを特徴とする樹脂の劣化計測システム。
【請求項１２】
請求項９に記載の樹脂の劣化計測システムにおいて、
前記第２の水晶振動子を覆うとともに、所定の酸素透過量をもち、前記第２の水晶振動子に塗布された樹脂が暴露される酸素量を制限する第２のカバーと、
モールド樹脂の光反射率を計測する反射率計と、を備え、
前記第２の水晶振動子により、樹脂内部の樹脂の寿命予測をおこない、前記反射率計により、樹脂表面の樹脂の寿命予測をおこなう
ことを特徴とする樹脂の劣化計測システム。
【請求項１３】
請求項１１に記載の樹脂の劣化計測システムにおいて、さらに、
モールド樹脂の光反射率を計測する反射率計と、を備え、
前記第３の水晶振動子により、樹脂内部の樹脂の寿命予測をおこない、前記反射率計と前記第２の水晶振動子により、樹脂表面の樹脂の寿命予測をおこなう
ことを特徴とする樹脂の劣化計測システム。
【請求項１４】
請求項１２または１３に記載の樹脂の劣化計測システムにおいて、
診断の初期には、前記第２の水晶振動子により、樹脂表面の寿命予測がおこない、
診断の後期には、前記反射率計により、樹脂表面の寿命予測がおこなう
ことを特徴とする樹脂の劣化計測システム。
【発明の詳細な説明】
【技術分野】
【０００１】
本発明は、電気機器向けの樹脂材、特に受変電設備のモールド樹脂に係り、その劣化状態を検知する劣化計測センサおよび劣化計測システムに関する。
【背景技術】
【０００２】
多くの電機機器で樹脂材が使用されているが、一次巻線や二次巻線の全表面が樹脂又は樹脂を含んだ絶縁基材で覆われたモールド変圧器では、絶縁基材である樹脂（主として、エポキシ樹脂）の熱劣化により装置の寿命が決まるとを言われている。
このモールド変圧器の劣化診断に、エポキシ樹脂の光反射率を測定して劣化診断をおこなう方法がある。この光反射率特性による診断は、樹脂成分の熱蒸発による質量減少と濃色化の相関関係を利用し、エポキシ樹脂の光反射率を測定して、劣化度を診断する方法である。
【０００３】
上記の光反射率特性による診断では、光反射率値により定量的な劣化度を把握できるので、モールド変圧器の交換時期の把握が容易となり、機器の保全計画を立案しやすくなる。しかし、測定のために、変圧器を停電する必要があるので、受変電設備の運用上、頻繁に測定をおこなうことができない。
【０００４】
樹脂の劣化診断には、上記の光反射率特性による診断の他に、樹脂劣化による質量減少を測定するために、例えば、特許文献１に開示されている水晶振動子による微量測定を応用した方法がある。詳しくは、特許文献１には、電極を取り付けた水晶振動子の表面に塗装を施したものに電圧をかけて励振させ、固有の振動数の発振を得る。そして、塗装膜厚に応じて固有振動数が減少することを利用して、時間経過後の塗装膜厚の減少等を検知し塗膜劣化を検出することが開示されている。
【先行技術文献】
【特許文献】
【０００５】
【特許文献１】特開２００３−１４９１２８号公報
【発明の概要】
【発明が解決しようとする課題】
【０００６】
特許文献１の開示技術によれば、樹脂を水晶振動子の表面に塗布し、いわゆる水晶振動子法による微量測定の原理を応用し、樹脂の質量減少を検出することができる。そして、検出した質量減少から樹脂劣化の進行度を知ることができる。例えば、水晶振動子法では、９ＭＨｚのＡＴカット水晶で、１Ｈｚ当たり１ナノグラムの感度をもつと言われている。
しかし、モールド変圧器は、負荷の上下により、温度上昇が異なる。水晶振動子は、周波数温度特性をもっているが、特許文献１では水晶振動の周波数温度特性は考慮されておらず、モールド変圧器の樹脂劣化の進行度を精度よく知ることができない。
【０００７】
本発明は、このような実情に鑑みてなされたものであり、モールド変圧器の樹脂劣化の進行度を精度よく知ることができる樹脂の劣化計測センサおよび劣化計測システムを提供するものである。
【課題を解決するための手段】
【０００８】
前記課題を解決するため、本発明の樹脂の劣化の進行度を推定するために質量変化を検出する劣化計測センサは、劣化の進行度を検出する樹脂が塗布された少なくとも２つの第１と第２の水晶振動子と、前記第１と第２の水晶振動子のそれぞれの発振回路と、前記第１の水晶振動子を覆い、前記樹脂が前記樹脂の劣化要因に暴露されることを抑止する第１のカバーと、を備えるようにした。
【０００９】
具体的には、前記第１と第２の水晶振動子に塗布される樹脂は、モールド変圧器の絶縁部材であるエポキシ樹脂を含み、前記第１のカバーは、前記第１の水晶振動子に塗布された樹脂が酸素に暴露されないように酸素を遮断するようにした。
【００１０】
また、本発明の劣化計測システムは、劣化の進行度を検出する樹脂が塗布された少なくとも２つの第１と第２の水晶振動子と、前記第１と第２の水晶振動子のそれぞれの発振回路と、前記第１の水晶振動子を覆い、前記樹脂が前記樹脂の劣化要因に暴露されることを抑止する第１のカバーと、前記第１と第２の水晶振動子のそれぞれの発振回路による振動を計数するカウンタと、前記カウンタの計数値に基づいて、前記第２の水晶振動子に塗布された樹脂の質量減少量に対応する温度補償された周波数変化量を算出する処理装置と、を備え、前記樹脂の質量減少量から樹脂の寿命予測がおこなわれるようにした。
【発明の効果】
【００１１】
本発明によれば、モールド変圧器の絶縁部材等の樹脂劣化の進行度を精度よく検出できるので、モールド変圧器の運用管理が容易になる。
【図面の簡単な説明】
【００１２】
【図１】実施例のセンサ素子の構成図である。
【図２】本実施例の劣化計測センサおよび劣化計測システムの構成を示す図である。
【図３】劣化計測センサが設置されるモールド変圧器の一例を示す図である。
【図４】モールド樹脂内部の劣化の進行度を推定することが可能な劣化計測システムの構成を示す図である。
【図５】反射率計と併用して、エポキシ樹脂の劣化の進行度を推定する劣化計測システムの構成を示す図である。
【発明を実施するための形態】
【００１３】
以下、本発明の実施例について、図面を参照しながら詳細に説明する。
図１は、詳細を後述する本実施例の劣化計測センサおよび劣化計測システムに使用するセンサ素子２１、２２（図２を参照）の構成図である。
センサ素子２１、２２は、水晶の厚みすべり振動を利用しており、ＡＴカットの水晶振動子１１に、約１００μｍの薄いエポキシ樹脂（シリカ重量含有率７５％）１３が塗布されている。また、水晶振動子１１は、電圧を印加する表面電極１４により挟持され、印加電極１２を介して、後述する発振器２４に接続する。
ここで、エポキシ樹脂１３が、劣化の進行度を検出するモールド変圧器等の絶縁基材の樹脂と同じ材料になっている。
【００１４】
センサ素子２１、２２は、水晶振動子１１が厚みすべり振動する際に、付着する物質の質量に応じて共振周波数が変動する性質を利用した質量センサとなっている。詳細には、水晶振動子１１の周波数変化と質量変化がリニアな関係であることを利用し、周波数変化を検出して、塗布したエポキシ樹脂１３の質量変化を測定する。
【００１５】
モールド変圧器の絶縁基材であるエポキシ樹脂１３は、モールド変圧器の動作時の発生熱により熱酸化劣化が生じ、質量減少がおきることが知られている。一方で、水晶振動子１１の共振周波数は温度特性をもち、さらに、モールド変圧器の負荷変動によりモールド変圧器の温度は変動しているので、水晶振動子１１で検出したエポキシ樹脂１３の質量減少値は、温度変動してしまう。
【００１６】
このため、本実施例の劣化計測センサおよび劣化計測システムでは、少なくとも２つのセンサ素子２１、２２を設けて、周波数変化の検出の温度補償をおこなう。
《実施例１》
図２により、本実施例の劣化計測センサおよび劣化計測システムの構成を詳細に説明する。
【００１７】
本実施例の劣化計測センサ２０は、前述した少なくとも２つのセンサ素子２１、２２を備え、センサ素子２２が、環境から遮断するためのカバー２３を備えている。より具体的には、カバー２３は、酸素を遮断するステンレス製の箱体である。
【００１８】
２つのセンサ素子２１、２２には、発振回路２４が接続され、水晶振動子１１の共振周波数で発振している。発振回路２４は、周知の負帰還増幅回路と帰還抵抗と負荷容量と振幅制限抵抗等から構成されている。
【００１９】
上記の劣化計測センサ２０の消費電力はごく少なく、また３．３Ｖ程度で駆動できるため、電池で駆動することもできる。この場合には、劣化計測センサ２０を５ｃｍ角程度のサイズで実現することができ、モールド変圧器の任意の場所に設置することができる。
【００２０】
図２の劣化計測システムの説明に戻り、劣化計測センサ２０は、周波数カウンタ２６に接続され、劣化計測センサ２０のセンサ素子２１、２２のそれぞれの発振周波数が検出される。検出されたセンサ素子２１、２２の発振周波数は、組み込みマイコン等の処理装置２８に通知される。
外部電源２７は、劣化計測センサ２０と周波数カウンタ２６と処理装置２８の電源であり、モールド変圧器の出力に接続してもよい。
周波数カウンタ２６と処理装置２８と外部電源２７は、モールド変圧器の発熱の影響を避けるため、モールド変圧器から離れて設置することが望ましい。
【００２１】
つぎに、劣化計測システムの機能を説明する。
処理装置２８は、周波数カウンタ２６により、所定の周期で、劣化計測センサ２０のセンサ素子２１、２２のそれぞれの発振周波数を取得する。このとき、センサ素子２２では、酸素を遮断するカバー２３により、塗布したエポキシ樹脂が熱酸化劣化することがない。したがって、劣化計測センサ２０のセンサ素子２１、２２が同じ温度環境になるように劣化計測センサ２０をモールド変圧器に設置すれば、センサ素子２１、２２のそれぞれの発振周波数の差分が、温度補償された塗布したエポキシ樹脂の質量減少による周波数変化量となる。
処理装置２８は、予め、エポキシ樹脂の質量減少量と周波数変化量の対応関係を求めておき、検出した周波数変化量からエポキシ樹脂の質量減少量を換算することができる。
【００２２】
また、処理装置２８は、モールド変圧器の寿命（樹脂劣化の進行度）とエポキシ樹脂の質量減少量の対応関係を求めておき、検出した周波数変化量の時間変化から、エポキシ樹脂の質量減少量を予測し、この質量減少量の予測値からモールド変圧器の寿命予測をおこなうこともできる。
この場合に、処理装置２８が所定のエポキシ樹脂の質量減少量を予測し、モールド変圧器の寿命予測した際に、処理装置２８に接続する図示しない表示装置に、モールド変圧器の点検や保守の警告表示をおこなうこともできる。
【００２３】
また、処理装置２８は、内蔵する優先または無線ネットワーク通信手段により、検出した周波数変化量を、モールド変圧器等の受配電設備を集中監視する管理センタに通知する。管理センタでは、エポキシ樹脂の質量減少量に変換し、質量減少量の時間変換からモールド変圧器の寿命予測をおこなうようにしてもよい。これにより、モールド変圧器のリモート寿命監視をおこなうことができる。
さらに、管理センタが取得している受配電設備の稼働情報（電力変動情報等）を加味して、モールド変圧器の負荷増大による質量減少の加速等を推定し、変圧器の寿命予測をおこなえば、より精度を向上することができる。
【００２４】
さらに、処理装置２８は、劣化計測センサ２０の２つのセンサ素子２１、２２の発振周波数を比較して、質量減少や温度特性の変動幅以上に大きくずれていないか判定する。これにより、劣化計測センサ２０の異常を検出して、劣化計測システムの故障検出をおこなう。
【００２５】
本実施例の劣化計測センサ２０は、モールド変圧器のエポキシ樹脂の劣化の進行度を検出するため、モールド変圧器のエポキシ樹脂が熱酸化劣化する点に着目し、酸素を遮断するカバー２３を備えたセンサ素子２２で、温度補償をおこなう。
樹脂劣化の熱酸化劣化以外の他の劣化要因を排除する場合には、センサ素子２１に、フィルタを設けて劣化要因を遮断すればよい。
【００２６】
例えば、カバー２３と同様の箱体の、ごく薄いＨＥＰＡ（High Efficiency Particulate Air Filter）フィルタや、高分子膜フィルタをセンサ素子２１に装着する。これにより、結露や、塩分付着などを回避することができる。
このとき、温度補償をおこなうためのセンサ素子２２にも、同じフィルタを設ける。
これにより、外乱因子を排除する事の可能な劣化計測センサ２０を提供できる。
【００２７】
つぎに、劣化計測センサ２０の設置例を説明する。
図３は、本実施例の劣化計測センサ２０が設置されるモールド変圧器の一例を示す図である。なお、図３は、要部のみを示し、筐体支持部等の構成部材の記載は省略している。
【００２８】
モールド変圧器の要部は、中央部に設けられた鉄心３１と、前記鉄心３１の周囲に設けられ、電流を出力する巻線導体が複数巻かれた２次側巻線３２と、前記２次側巻線３２の外周に設けられた１次側巻線３３と、これらを支持する筐体支持部３４とで概略構成されている。
２次側巻線３２と１次側巻線３３のそれぞれは、巻線導体が複数巻回され、エポキシ樹脂等のモールド樹脂３５でモールドされている。
【００２９】
本実施例の劣化計測センサ２０は、モールド樹脂３５の外周表面に設けられ、モールド樹脂３５の劣化の進行度を検出する。この際、モールド樹脂３５と劣化計測センサ２０のセンサ素子２１、２２の温度状態を同じにするために、劣化計測センサ２０をモールド樹脂３５に埋め込んで設置するとよい。
【００３０】
劣化計測システムの周波数カウンタ２６と外部電源２７と処理装置２８は、１次側巻線３３や２次側巻線３２の巻線抵抗の損失負荷による発熱の影響を避けるため、筐体支持部３４に設置してもよいし、モールド変圧器を収納する保護ケース設置するようにしてもよい。
【００３１】
上記のとおり、本実施例の劣化計測センサ２０をモールド変圧器に設置することで、モールド樹脂３５の劣化の進行度を検出することができるが、モールド樹脂３５には厚み方向に温度勾配があり内部の方が高温であることや、エポキシ樹脂の酸素拡散率が小さく、内部の酸素状態が高くなるまでには時間を要することから、モールド樹脂３５の内部と劣化計測センサ２０が設置される表面とでは、樹脂の劣化状態が異なる場合がある。
モールド樹脂３５の内部の劣化の進行度を推定するため、劣化計測センサ２０をつぎのように構成してもよい。
【００３２】
《実施例２》
図４にモールド樹脂３５の内部の劣化の進行度を推定することが可能な劣化計測システムの構成を示す。
図２の劣化計測システムにおける劣化計測センサ２０とは、劣化計測センサ４０がモールド樹脂３５の内部の劣化の進行度を推定するためのセンサ素子４１を追加した点が異なる。
【００３３】
センサ素子４１は、酸素の透過を制限する（一定量の酸素を透過する）酸素フィルタカバー４２が設けられ、センサ素子４１に塗布したエポキシ樹脂に拡散する酸素量を制限する。これにより、モールド樹脂３５の所定深さの熱酸素劣化の状態を模擬し、周波数変化から劣化の進行度を推定する。
【００３４】
この際、センサ素子４１の温度は、モールド樹脂３５の厚み方向の温度勾配のため、モールド樹脂３５の内部の温度より低くなっている。そこで、センサ素子４１の周波数変化から推定した劣化の進行度に、温度の加速係数を乗じて、モールド樹脂３５の所定深さのエポキシ樹脂の劣化の進行度とする。
【００３５】
ここで、モールド樹脂３５の厚み方向の温度勾配は、予め、求めておくことができる。
また、センサ素子４１の温度は、水晶振動子１１の周波数温度特性に基づいて、センサ素子２２の周波数から求めてもよいし、熱電対やサーミスタ等の温度検出素子を別に設けるようにしてもよい。
【００３６】
図４の劣化計測システムでは、センサ素子２１、４１のそれぞれで検出した周波数変化を、センサ素子２２により温度補償し、モールド樹脂３５の表面と内部の劣化の進行度を推定する。そして、推定した劣化の進行度の平均値を求めるか、または、推定した劣化の進行度の最大値を求めて、モールド変圧器の劣化度を診断する。
【００３７】
図４の劣化計測システムでは２つのセンサ素子２１、４１、図２の劣化計測システムでは１つセンサ素子２１により、エポキシ樹脂の劣化の進行度を検出する例を示したが、これに限らず複数のセンサ素子を設けて、それぞれのセンサ素子の検出により劣化の進行度を推定し、上記のように、劣化の進行度の平均値や最大値から、モールド変圧器の劣化度を診断してもよい。これにより、診断精度の向上を図ることができる。
【００３８】
また、上記のセンサ素子４１のようにして、モールド樹脂３５の内部の劣化の進行度を推定することで、センサ素子をモールド樹脂３５の内部に設ける必要がなくなる。したがって、センサ素子を内包することによるモールド樹脂３５の機械的強度の低下がないので、モールド樹脂３５の厚みを増加する必要がなく、小型形状を維持できる。
【００３９】
《実施例３》
つぎに、反射率計を併用して、エポキシ樹脂の劣化の進行度を推定する劣化計測システムを説明する。図５は、反射率計と併用して、エポキシ樹脂の劣化の進行度を推定する劣化計測システムの構成を示す図である。
本実施例は、エポキシ樹脂の熱酸化劣化による変色や光反射率低下を検出するもので、図５の処理装置２８に接続した反射率計５１により、モールド樹脂３５の表面の光反射率を計測し、エポキシ樹脂の熱酸化劣化による変色や反射率変化を検出する。反射率計５１で計測した計測値の変化からモールド樹脂３５の劣化の進行度を推定する。
【００４０】
上記の反射率計５１の測定では、モールド樹脂３５の内部の劣化状態を推定することができない。このため、図５の劣化計測システムでは、上述した内部の進行度検出用センサ素子４１と温度補償用のセンサ素子２２から成る劣化計測センサ５０と組み合わせて、モールド変圧器の劣化度診断をおこなう。
反射率計５１は非接触で測定がおこなえるため、センサの設置自由度が高い劣化計測システムを実現することができる。
【００４１】
また、図５の劣化計測センサ５０を、温度補償用のセンサ素子２２と、モールド樹脂３５の表面の劣化進行度検出用のセンサ素子２１と、モールド樹脂３５の内部の劣化進行度検出用センサ素子４１により構成してもよい。
この際、モールド樹脂３５の表面の劣化進行度を、センサ素子２１と反射率計５１の検出結果から推定することになるが、モールド変圧器の劣化診断の初期では、センサ素子２１の検出結果を優先し、劣化診断の後期には、反射率計５１の検出結果を優先する。
上記のように、異なる２つの検出方式で劣化進行度を推定することで、推定精度が向上するとともに、センサの異常を判定できるので、劣化計測システムの信頼性が向上する。
【００４２】
本実施例１〜３によれば、モールド変圧器のモールド樹脂３５の劣化の進行度を推定できるので、エポキシ樹脂が熱酸化劣化して機械強度が低下し、モールド樹脂３５にクラックが発生して部分放電が発生する等の絶縁強度の低下を事前に予測できるので、モールド変圧器の予防保全を容易におこなうことができる。
【００４３】
また、上記の実施例１〜３では、モールド変圧器のモールド樹脂３５がエポキシ樹脂の例を説明したが、樹脂が複合電気絶縁樹脂であってエポキシ系熱硬化樹脂、フィラーとしてシリカ、またはアルミナ等の無機物もしくはゴム等の有機物を含んでいても同様の効果を奏する。一般的に無機物であるシリカ、アルミナは熱酸化劣化で重量減少することはないので、それを除いた分、樹脂量の減少速度は遅くなる。
【００４４】
また、水晶振動子１１に塗布される物質がエポキシ樹脂もしくはエポキシ樹脂と無機化合物とを含んでいても同様の効果は発揮される。とくにエポキシ樹脂は高電圧機器向けに使用される場合、シリカ他のフィラーを大量に含んでいる。この場合、樹脂の劣化蒸発量は少なくなるが非常に鋭敏な水晶振動子はこれをもとらえることができる。また、エポキシ樹脂以外の劣化しにくいＰＴＦＥ（polytetrafluoroethylene）などであっても同様の効果を奏する。
【００４５】
本発明は上記した実施例に限定されるものではなく、様々な変形例が含まれる。例えば、上記した実施例は本発明で分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。
【符号の説明】
【００４６】
２０、４０、５０  劣化計測センサ
２１、２２  センサ素子
２３  カバー
２４  発振回路
２６  周波数カウンタ
２７  外部電源
２８  処理装置
【図１】
2016205874.tif 000003
【図２】
2016205874.tif 000004
【図３】
2016205874.tif 000005
【図４】
2016205874.tif 000006
【図５】
2016205874.tif 000007